(57)【要約】【課題】本発明は、歩行型草刈機において、刈刃よりも進行方向前方に取り付けた取手としても利用できるフレームを利用して草を起こすことを意図したものである。【解決手段】ハウジング１内に縦軸心ｐ周りに回転駆動される刈刃２を収容した草刈部に、前後の走行車輪４、および、操縦ハンドルを装備するとともに、草刈部の上部に刈刃２および走行車輪４を駆動する原動部を搭載してなる歩行型草刈機において、刈刃２よりも進行方向前方に、地面に近づけて草を起こす作用姿勢と上方に退避させた非作用姿勢とに位置変更固定自在な左右横長のフレーム４２を備えている。【選択図】図３
2010246425.tif 000002
【特許請求の範囲】
【請求項１】
ハウジング内に回転駆動される刈刃を収容した草刈部に、前後の走行車輪及び操縦ハンドルを装備してなる歩行型草刈機であって、
前記刈刃よりも進行方向前方に、地面に近づけて草を起こす作用姿勢と上方に退避させた非作用姿勢とに位置変更固定自在な左右横長のフレームを備えてあることを特徴とする歩行型草刈機。
【請求項２】
前記フレームは、持ち運び用の取手を兼ねている請求項１記載の歩行型草刈機。
【請求項３】
前記フレームを前記刈刃の進行方向前方及び後方に備えてある請求項１または２記載の歩行型草刈機。
【請求項４】
前記フレームを、基部を中心に前記作用姿勢と非作用姿勢とに亘って上下に揺動可能に構成してある請求項１〜３のいずれか一項に記載の歩行型草刈機。
【請求項５】
前記フレームは、平面視コの字状のフレーム枠である請求項４記載の歩行型草刈機。
【請求項６】
前記フレーム枠を、左右の基部支持杆と、前記基部支持杆に対して伸縮する左右の伸縮杆と、前記左右の伸縮杆に亘る横杆とで構成し、前記伸縮杆を前記基部支持杆の長手方向に沿って位置変更及び固定自在に構成してある請求項５記載の歩行型草刈機。
【発明の詳細な説明】
【技術分野】
【０００１】
本発明は、農道や畦などでの雑草刈りや、草地での牧草刈りなどに利用する歩行型草刈機に関する。
【背景技術】
【０００２】
歩行型草刈機としては、縦軸心周りに回転駆動される刈刃をハウジング内に配備するとともに、前後に走行車輪を装備し、機体の中央部位に刈刃および走行車輪を駆動するエンジンを搭載したものが知られている（例えば、特許文献１参照）。
【先行技術文献】
【特許文献】
【０００３】
【特許文献１】特開２００５−１３８７１８号公報
【発明の概要】
【発明が解決しようとする課題】
【０００４】
特許文献１に示された従来の歩行型草刈機では、草が大きく倒れていると刈刃が茎部の上を通過して、茎部の刈り取りを行い難く刈り残しが発生することがある。
【０００５】
本発明は、このような点に着目してなされたものであって、倒れた草の茎部を起こしながら刈り取るようにして、茎部の刈り残しを少なくし、能率よく草刈作業を行うことができる歩行型草刈機を提供することを目的としている。
【課題を解決するための手段】
【０００６】
〔第１発明の構成〕
第１発明の構成は、ハウジング内に回転駆動される刈刃を収容した草刈部に、前後の走行車輪及び操縦ハンドルを装備してなる歩行型草刈機であって、前記刈刃よりも進行方向前方に、地面に近づけて草を起こす作用姿勢と上方に退避させた非作用姿勢とに位置変更固定自在な左右横長のフレームを備えてあることを特徴とする。
【０００７】
〔第１発明の作用〕
第１発明によれば、大きく倒れている草が多い状態で草刈作業を行う場合、進行方向前方に配設してある横長のフレームを上方の非作用姿勢から地面に近づけた作用姿勢に位置変更して作用姿勢で固定する。そして概して草が倒れている方向に向かって走行しながら作業を行うことで、横長のフレームで倒れている草の茎部を起こし、起こした草の茎部を後続する刈刃で刈り取ることで、良好に草の茎部を刈り取ることができる。
又、よりきれいに草刈りを行いたいときは、前後に往復刈りをすることにより、草が前後にランダムに倒れている場合においても効果的に良好な草刈りを行うことができる。
【０００８】
刈り取ろうとしている草が、概して、上方に向けて真っ直ぐに生えている場合は、草を起こす横長のフレームを上方の非作用姿勢にしたままで草刈作業を行なえばよい。
【０００９】
〔第１発明の効果〕
第１発明によれば、刈り取る草が大きく倒れている場合に、草起こし用の横長のフレームを地面に近づけた作用姿勢に設定して刈り取ることで、草起こし用の横長フレームを備えていない従来の歩行型草刈機に比べて、能率よく良好に草刈作業を行うことができるに至った。
【００１０】
〔第２発明の構成〕
第２発明は、第１発明の構成において、前記フレームは、持ち運び用の取手を兼ねている。
【００１１】
〔第２発明の作用効果〕
第２発明によれば、別途、持ち運び用の取手を設けなくても、フレームで取手を兼ねるようにしたので、部品点数を削減でき、生産性を向上させることができた。そして、前記フレームを取手とすることによって、草刈機のトラックへの積み込み積み降ろし作業や道路から法面などの草地への持ち運びを容易に行うことができる。
【００１２】
〔第３発明の構成〕
第３発明は、第１発明または第２発明の構成において、前記フレームを前記刈刃の進行方向前方及び後方に備えてある。
【００１３】
〔第３発明の作用効果〕
第３発明によれば、歩行型草刈機の向きを変更することなく、歩行型草刈機を前後に走行させることで、前後のフレームにより倒れた草を起こすことができて、良好な前後の往復刈りを行うことができるようになった。
【００１４】
〔第４発明の構成〕
第４発明は、上記第１発明乃至第３発明のうちのいずれかひとつの発明の構成において、前記フレームを、基部を中心に前記作用姿勢と非作用姿勢とに亘って上下に揺動可能に構成してある。
【００１５】
〔第４発明の作用効果〕
前記フレームを前記作用姿勢と非作用姿勢とに姿勢変更をするに当たっては、前記フレームを上下にスライド移動することもできるが、第４発明によれば、前記フレームの基部を揺動させるだけで、フレームの先端部の草起こし作用部を大きく上下に揺動させることができるので、フレームの固定手段をフレームの基部に設けることで姿勢変更手段をコンパクトに構成することができる。
【００１６】
〔第５発明の構成〕
第５発明は、第４発明の構成において、前記フレームは、平面視コの字状のフレーム枠である。
【００１７】
〔第５発明の作用効果〕
第５発明によれば、前記フレームをコの字状のフレーム枠で構成してあるので、平板で形成するのに比べて、軽量にすることができる。
【００１８】
倒れている草を起こす場合は、茎部が倒れている方向からフレームで起こされる。草をフレーム起こしながら進行すると草の茎部がフレームと離れるまで押されて逆倒れの姿勢になり、草はフレーム枠から離れることによって、多少元に戻って立ち姿勢になろうとするが、フレームを平板で形成すると草の茎部が起こし作用を受け終わって作用先端部から離れても茎部が平板の下面に接触しているしばらくの間、茎部が立ち姿勢には戻らない。
これに対して、第５発明によれば、フレームをコの字状のフレーム枠で構成してあるので、コの字状の内部が空間となっており、進行に伴って倒れている草の茎部が進行方向前側の横長のフレームで進行方向前方側に起こされ、茎部がフレーム枠から離れると、コの字状の内部空間で直ぐに茎部が立ち姿勢に戻ることができるので、草の茎部を前方に倒したまま刈り取るようなことがなく良好な草刈りを行うことができる。
【００１９】
〔第６発明の構成〕
第６発明は、第５発明の構成において、前記フレーム枠を、左右の基部支持杆と、前記基部支持杆に対して伸縮する左右の伸縮杆と、前記左右の伸縮杆に亘る横杆とで構成し、前記伸縮杆を前記基部支持杆の長手方向に沿って位置変更及び固定自在に構成してある。
【００２０】
〔第６発明の作用効果〕
伸縮しないフレーム枠の場合は、基部支持杆が短いと、作用姿勢で地上高を低くするためにフレーム枠を取り付ける基部の位置も低くしなければならないことから、フレーム枠の取り付け用のステーを主フレームなどから別途設ける必要あり、又、この場合、非作用姿勢でも低い位置に取り付けられることとなるから、フレーム枠を持ち運び用の取手に利用した場合、取手の取付け位置が低くなり過ぎて、一人では持ち上げ辛くなる。
【００２１】
これに対して、第６発明によれば、前記フレーム枠の取付け位置が対地的に多少高い位置となっても、作用姿勢で作用部となる横杆を引き出すことで適切な対地高さに設定することができるとともに、非作用姿勢で対地的に高所に位置させることができ、又、非作用姿勢でフレーム枠の前後長さを短くすることができる。これによって、フレーム枠（横枠）の前端を車輪よりも進行方向前方に突出しないようにすることもできるので、フレーム枠を他物との衝突で破損させる確率も少なくなるように構成することができる。
【図面の簡単な説明】
【００２２】
【図１】歩行型草刈機の全体側面図である。
【図２】歩行型草刈機のハンドル横振り状態における全体平面図である。
【図３】草刈部の縦断側面図である。
【図４】刈刃の平面図である。
【図５】（ａ）は刈刃の分解斜視図、（ｂ）は刈刃の取り付け状態を示す斜視図である。
【図６】刈刃の取り付け状態を示す縦断正面図である。
【図７】（ａ）は主フレームの前後に取り付けたフレームの非作用姿勢の状態を示す斜視図、（ｂ）は主フレームの前後に取り付けたフレームの作用姿勢の状態を示す斜視図である。
【図８】（ａ）はフレームの非作用姿勢の状態を示す一部縦断側面図、（ｂ）はフレームの作用姿勢の状態を示す一部縦断側面図である。
【発明を実施するための形態】
【００２３】
図１に、本発明に係る歩行型草刈機の全体側面が、また、図２に、その全体平面がそれぞれ示されている。この歩行型草刈機は、ハウジング１の内部に縦軸心ｐ周りに回転駆動される刈刃２を備えてなる草刈部３の前後左右に走行車輪４が装備されるとともに、草刈部３の中央部位に、刈刃２および走行車輪４を駆動する原動部としてエンジン５が搭載され、かつ、エンジン５の横一側に偏位した箇所から向き変更可能な操縦ハンドル６が斜め上方に向けて延出された構造となっている。
【００２４】
前記操縦ハンドル６の旋回姿勢を図１に示す向きにセットした状態が標準状態であり、図中の矢印方向が標準の前進方向Ｆとなる。以後、説明の便宜上、前記標準状態での前進方向Ｆを基準にして、操縦ハンドル６が偏在する側を機体左側、その反対側を機体右側と呼称することにする。
【００２５】
図１、図２に示すように、前記操縦ハンドル６は、丸パイプ材からなるハンドル本体６ａの遊端にループハンドル部６ｂを連結して構成されたものであり、前記エンジン５の左横側において、ハウジング１の上面に近い低位置から片持ち状に延出されるとともに、縦軸心ｘ周りに向き変更調節可能、かつ、横軸心ｙ周りに上下に揺動調節可能に構成されている。
【００２６】
図１〜図３に示すように、前記草刈部３には、板材を下向きコの字状に屈折してなる左右一対の主フレーム７が備えられ、左右の主フレーム７の前後中間部に亘って架設された前後一対の横フレーム８に、刈刃２および走行車輪４を駆動するための駆動ケース９が連結支持されるとともに、駆動ケース９の上部に前記エンジン５が搭載連結されている。
【００２７】
前記エンジン５はリコイルスタート式の縦軸型空冷ガソリンエンジンが使用され、エンジン５の下方に下向き出力軸５ａが駆動ケース９内に内蔵された図示しない伝動機構に連動連結されている。
【００２８】
図３に示すように、左右の主フレーム７の前後端に下方から嵌込み連結した左右の軸受けブロック１０に亘って前記駆動ケース９から取り出された動力によって正逆転駆動される車軸１１が横架支承され、各車軸１１の左右両端部に走行車輪４が連結されている。
【００２９】
草刈機は、図２に示す変速レバー１２の上下揺動操作によって走行変速を行えるようになっており、この変速レバー１２をレバーガイド１３に係止保持することで低速状態あるいは高速状態を選択保持することができるようになっている。
【００３０】
草刈機の前後進は、操縦ハンドル６の先端近くに支点ａ周りに左右方向に揺動自在に設けた単一の前後進切換えレバー１４に２本のワイヤ１５ｆ，１５ｒを介してそれぞれ連係されている。ここで、両ワイヤ１５ｆ，１５ｒの後端は前記支点ａの左右に振り分けて前後進切換えレバー１４に連結され、前後進切換えレバー１４を操作してレバーガイド１６の右側に位置する「前進」位置に係止保持するか、左側に位置する「後進」位置に係止保持することによって、両ワイヤ１５ｆ，１５ｒが背反的に操作されるようになっている。又、前後進切換えレバー１４を図２に示す中央の「中立」位置に操作して係止保持すると、両ワイヤ１５ｆ，１５ｒが共に引かれて、走行系への動力伝達を遮断して走行車輪４を遊転状態とすることができ、機体の手押し移動が可能となる。また、前後進切換えレバー１４を「中立」位置に切換え保持した状態でエンジン始動時を行うことになる。
【００３１】
図１、図２に示すように、前記走行車輪４は、板金プレス加工されたホイール４ａの外周面に推進ラグ４ｂが所定ピッチで突設されるとともに、ホイール４ａの機体内側の外周縁に前記推進ラグ４ｂと同高さの直進用リブ４ｃが全周に亘って形成されている。
【００３２】
図２に示すように、機体右側に位置する前後の走行車輪４を囲繞するように、丸棒材を屈曲してなる分草杆１６の前後および中間部の３箇所が主フレーム７および刈刃ハウジング１に連結されている。この分草杆１６は平面視で前後が先細りの舟形形状に形成されており、往復刈りによって雑草を刈取る場合に、分草杆１６の在る側を未刈り側にすることで、未刈り地の草を右側の走行車輪４で踏みつけて倒してしまうことや、未刈り地の草が右側の走行車輪４に絡みつくことを防止することができるのである。
【００３３】
図３に示すように、草刈部３を構成するハウジング１は、左右の主フレーム７の前端から後端に亘って取り付けられた天板１７、主フレーム７の下から左右横外方に張り出して配置された刈刃カバー１８、刈刃カバー１８における機体左側（操縦ハンドル設置側）の横外側に配備されたゴム製のサイド垂れカバー１９、主フレーム７の前後端に横架された横フレーム２０に取り付けられたゴム製の前部垂れカバー２１ｆおよび後部垂れカバー２１ｒとで刈刃回転軌跡を覆うよう構成されている。
【００３４】
サイド垂れカバー１９は刈刃カバー１８のスカート部１８ａの下端よりも低い位置まで延出されるとともに、サイド垂れカバー１９の前後端部が前後の走行車輪４の凹入外面に沿うように機体内方に屈曲されて前後の走行車輪４の間が大きく覆われており、これによって、刈草や切断された小枝などが既刈り側となる機体左側へ飛散することが抑制されている。
【００３５】
前部垂れカバー２１ｆおよび後部垂れカバー２１ｒはその下端が内側に位置する傾斜姿勢で連結されており、機体が走行する際に前部垂れカバー２１ｆ（前進時）あるいは後部垂れカバー２１ｒ（後進時）によって草が機体進行方向へ強く押しつけられ倒されることを緩和し、前部垂れカバー２１ｆあるいは後部垂れカバー２１ｒを潜り抜けた草がハウジング１内で容易に復元起立し、刈刃２の切断作用を的確に受けることができるようになっている。
【００３６】
図２に示すように、前後に弾性変形可能な板レバーで構成した刈高さ調節レバー２２が上方に向けて延出されており、この刈高さ調節レバー２２を左右に操作して、レバーガイド１３のノッチ１３ａに選択係止することで、刈刃駆動軸２３を上下に移動して上下位置を固定することで、４段の刈り高さ調節を行うことができるようになっている。
【００３７】
図３，図４に示すように、前記刈刃２は、円板状に打抜きプレスされた基板２４の外周部に複数（この例では２対計４個）の刃片２５を縦軸心ｄ，ｕ周りに回動可能に枢着して構成されており、地上の石や硬い異物にぶつかった刃片２５が後退揺動することができるようになっている。また、前記基板２４は、その中心部が上方に傾斜隆起された皿状に形成され、基板２４の中心に固設した中心ボス２６が、前記刈刃駆動軸２３の下端部に下方からスプライン外嵌されて袋ナット２７で抜け止め固定されている。基板２４の外周部には環状の外周リブ２４ａが上向きに屈曲形成され、中心側が隆起した形状と相まって基板２４全体の剛性が高められている。
【００３８】
図４〜図６に示すように、基板２４の外周部における一対の刃片２５，２５の装着部位には縦向きの支点ボス２８が設けられている。支点ボス２８の上面と、下端に接合した基板２４の下面に位置させて、支点ボス２８に形成した一対の孔２９に挿通した頭付き支点ピン３０ｄ，３０ｕを介して前記刃片２５，２５が枢支連結されるようになっている。支点ピン３０ｄ，３０ｕの周部には縦軸心ｄ，ｕと直交する方向に凹部３１が形成されている。一対の支点ピン３０ｄ，３０ｕを挿通させるための一対の孔２９，２９の中間部に当該孔２９，２９と一部重複する形で孔２９，２９と交差する方向にボルト挿通用の孔２９ａを形成してある。刃片２５を挿通させた一対の支点ピン３０ｄ，３０ｕを孔２９，２９に嵌挿させた状態で、孔２９ａに一本の抜け止めボルト３２を、前記一対の支点ピン３０ｄ，３０ｕに形成してある凹部３１に入り込ませた状態で挿通して、ナット３２ａで固定することで、一対の支点ピン３０ｄ，３０ｕの抜け止め且つ、回り止めが行われる。このように一対の刃片２５，２５の切断高さを異ならせて配置することで草を細断することができる。前記支点ボス２８は、基板２４の外周縁および外周リブ２４ａに切欠き欠如した凹部に係入されて溶接固定されており、かつ、支点ボス２８の外周が前記外周リブ２４ａにも溶接されることで、強度の高い刃片２５の支持構造が形成されている。
【００３９】
基板２４の上面には刈草拡散用の羽根３３が放射状に４個取付けられており、刈草が草刈部３の通過跡に均一に拡散放置されるようになっている。刈刃カバー１８内の天井部には、前記羽根３３の回動軌跡を囲む案内ドラム３４が固設されており、かつ、この案内ドラム３４は、刈刃２がどのような高さに調節されても羽根３３と重複する高さに設けられ、刈り草が回転中心に入り込んで巻き付くことを防止している。
【００４０】
図１、図２に示すように、操縦ハンドル６におけるループハンドル部６ｂの基部近くの左右に配備された一対のグリップレバー３５，３６を操作することで、操縦ハンドル６の旋回ロックあるいは揺動ロックのピン（図示せず）が解除操作されて、操縦ハンドル６の向き変更あるいは高さ変更することができように構成してあり、グリップレバー３５，３６を離すことでハンドルロックを行うことができるのである。
【００４１】
操縦ハンドル６におけるループハンドル部６ｂには支点ｚ周りに上下揺動可能かつ上方に揺動付勢された門形のアクセルレバー３７が備えられている。このアクセルレバー３７の基部右側箇所からは２本の操作ワイヤ３８，３９が延出され、一方の操作ワイヤ３８がエンジン５に備えられた調速機構（図示せず）に連係されるとともに、他方の操作ワイヤ３９がブレーキ（図示せず）にそれぞれ連係されている。そして、アクセルレバー３７を上方付勢力に抗して引き下げ揺動してループハンドル部６ｂと共握りすることで両操作ワイヤ３８，３９を共に引き操作して、エンジン５の回転速度を高める（アクセルアップ）とともにブレーキを解除することができるようになっている。エンジン回転速度が高まると、クラッチ（図示せず）が作動して動力が伝達され、駆動走行および刈刃駆動が可能となる。アクセルレバー３７の握りを解除すると、アクセルレバー３７が上方に復帰揺動してエンジン５はアイドリングまで回転低下し、クラッチが切れて走行系および刈刃駆動系への動力伝達が遮断されるとともに、ブレーキの作動によって刈刃の慣性回転が速やかに停止されることになる。
【００４２】
前記主フレーム７の前後端にはループ状のフレーム４２がそれぞれ取付けられている。前記ループ状のフレーム４２は、機体を持ち上げる際の取手として利用される。ループ状のフレーム４２は刈刃２よりも前方及び後方の主フレーム７の前端と後端にブラケット４３を介して取り付けられている。
【００４３】
図２、図３、図７及び図８に示すように、前記ループ状のフレーム４２は、主フレーム７の左右の前端縁と後端縁とに、ブラケット４３を介して取り付けられている。前記フレーム４２は、左右一対の円筒形の基部支持杆４４と、基部支持杆４４に摺動自在に内嵌された左右の伸縮杆４５と、左右の伸縮杆４５に亘り左右の伸縮杆４５と一体に形成された横杆４６とにより、フレーム枠に構成されている。基部支持杆４４は、ブラケット４３に左右横支点Ｑ周りに揺動自在にピン４７で枢支連結されている。ブラケット４３には、左右横支点Ｑを中心とした等距離の上下位置に円孔４８を形成してある。基部支持杆４４には、前記円孔４８に係合する先端が半球状の可動突起４９が出退自在に備えられ、図示しないバネにより突出側に付勢されている。可動突起４９の先端の半球部を指等で押しながら、手でフレーム４２を左右横支点Ｑ周りに回動させるか、又は可動突起４９を指等で押圧しない場合はフレーム４２を強く回動させると、可動突起４９が円孔４８から抜け出させることができる。可動突起４９が円孔４８から外した状態で上又は下の円孔４８に可動突起４９を係合させることにより、フレーム４２が水平に張り出した非作用姿勢又は下方に傾斜した作用姿勢に姿勢変更することができる。
【００４４】
左右の前記基部支持杆４４には、長手方向に間隔を隔てて複数（３個）の円孔５０を形成してある。左右の伸縮杆４５には、円孔５０に係合する先端が半球状の可動突起５１が出退自在に備えられ、図示しないバネにより突出側に付勢されている。左右の手で横杆４６又は伸縮杆４５を強く押すか強く引くと、可動突起５１が円孔５０から抜け出して前方又は後方の円孔５０に可動突起５１を係合させることができる。これにより左右の伸縮杆４５を左右の基部支持杆４４に対して収納された収納姿勢又は外方に張り出した張り出し姿勢に伸縮させることができる。即ち、基部支持杆４４からの伸縮杆４５の張り出し長さを３段に変更することができる。
【００４５】
図８（ｂ）に示すように、フレーム枠（フレーム４２）の伸縮杆４５を引き出して、フレーム枠（フレーム４２）の先端部（横杆４６）を地面に近づけて草を起こす作用姿勢にすると、進行方向に向かって倒れている草を起こすことができる。図８（ａ）に示すように、フレーム枠（フレーム４２）を水平にして伸縮杆４５を縮めて、横杆４６が上方に退避させた非作用姿勢にすると、横杆４６が草刈機をトラックに対して積み込み積み降ろしするときの取手として利用できる。又、草が殆ど倒れていない牧草など刈り取るときは、フレーム枠（フレーム４２）が前記非作用姿勢のままでも良好に刈り取ることができる。
【００４６】
この歩行型草刈機は、農道などの斜面における雑草刈りを行う場合には、図２に示すように、操縦ハンドル６を農道側に向かう横方向に旋回して固定し、この状態で草刈部３を法面に沿って前進あるいは後進させる。傾斜方向の長さが大きい広い斜面では、前後進を繰返しながら、その方向転換のつど操縦ハンドル６に斜面下方への押し下げ操作、あるいは、斜面上方への引き上げ操作を行うことで走行位置を斜面の傾斜方向にずらすことになる。
【００４７】
斜面で使用することの多い歩行型草刈機では、傾斜下手に位置するように燃料タンク４０が配備されている。また、斜面において作業者が斜面上手側からエンジン５のリコイル始動を行いやすくするために、エンジン５の後側に位置するスタートノブ４１が、操縦ハンドル６の基部が設置される左横側方に向けて引き操作するように設けられている。
【００４８】
〔別実施の形態〕
本発明は、以下のような形態で実施することもできる。
（１）上記実施の形態では、取手を兼用するループ状のフレーム４２は基端部の横支点Ｑを中心に作用姿勢と非作用姿勢とに上下に揺動するように構成してあるが、ループ状のフレーム４２全体を平行に上下に移動並びに固定できるように構成してもよい。又、ループ状のフレーム４２を上位置と下位置とに着脱自在に付け替えてもよい。
【００４９】
（２）取手は、握り用の孔を形成した板材で形成したものであってもよい。
【００５０】
（３）ループ状のフレーム４２は、主たる進行方向前方（図２における左側）のみに設けてもよい。
【００５１】
（４）上記実施の形態では、ループ状のフレーム４２として、伸縮杆４５と横杆４６とを一体に形成してあるが、伸縮杆４５に対して横杆４６を着脱自在にボルトで固定し、横杆４６を櫛歯状に形成して、草を良好に起こせるような草を起こし専用の草起こし杆に形成してもよい。
【００５２】
（５）上記実施の形態では、刈刃２を回転する基板２４に自由回転する刃片２５を取り付けた構成としたが、両端に刃部を備えたブレードを縦軸心周りに回転駆動するタイプの刈刃２でもよい。又、刈刃２としては、横軸心周りで回転するリール型カッタユニットで構成してもよい。
【産業上の利用可能性】
【００５３】
本発明は、走行車輪４を駆動する自走式の歩行型草刈機だけでなく、原動部５からの動力で刈刃２のみを駆動して、走行車輪４を遊転輪とした手押し型の歩行型草刈機として実施することもできる。
【符号の説明】
【００５４】
１        ハウジング
２        刈刃
３        草刈部
４        走行車輪
６        操縦ハンドル
４２      フレーム（フレーム枠）
４４      基部支持杆
４５      伸縮杆
４６      横杆
Ｑ        支点
【図１】
2010246425.tif 000003
【図２】
2010246425.tif 000004
【図３】
2010246425.tif 000005
【図４】
2010246425.tif 000006
【図５】
2010246425.tif 000007
【図６】
2010246425.tif 000008
【図７】
2010246425.tif 000009
【図８】
2010246425.tif 000010